(57)【要約】【課題】少量から多量の泡立てを瞬時に可能にし、泡立てネット１を手に確実に装着できるようにして、使用の簡便性を図った泡立てネットを提供する。【解決手段】手の指のＨの先方部分が露出する手袋形状の泡立てネット１を編成し、手の平面４を二重構造のネット面とするとともに、手の甲面７は一重構造のネット面とし、伸縮性のある素材を用いて泡立てに際し、泡立て作業を簡便化し、かつ手Ｈへの装着性を良好にして従来例にはない極めて利便性のある泡立てネット１とする。【選択図】    図１
2004229839.tif 000002
【特許請求の範囲】
【請求項１】
手の指の先方部分が露出するように、手の指の各挿入筒の根元部分に相当する部位を短く編成した手袋形状の伸縮性を有する素材を用いたネット本体を設け、このネット本体の手の平面を二重構造のネット面として編成すると共に、前記ネット本体の手の甲面を一重構造のネット面として編成したことを特徴とする泡立てネット。
【請求項２】
前記ネット本体の手の平面及び手の甲面の網目形状は、菱形に形成したことを特徴とする請求項１記載の泡立てネット。
【請求項３】
前記ネット本体の素材は、ポリエチレン、ポリアミド、ナイロン等の合成樹脂繊維であることを特徴とする請求項１及び２記載の泡立てネット。
【請求項４】
前記ネット本体の手首部分には、緊締用の紐体を取り付けたことを特徴とする請求項１及び２記載の泡立てネット。
【発明の詳細な説明】
【０００１】
【発明の属する技術分野】
本発明は、洗顔や洗髪等に際し、固形又は液体石鹸等を用いてクリーミーな泡立てを瞬時に可能とし、手と指先の自由を十分に働かせることを可能にして泡立てと洗浄を同時にかつ容易に行うことができる泡立てネットを提供することを目的とする。
【０００２】
【従来の技術】
洗顔や洗髪等、或いはペットのシャンプー等に際しての泡立てネットの従来例を図９から図１６に示す。図９は釣鐘状のネット３０の頂部に取り付けた指への掛止紐３１の基部にストッパ３２を設けた構造となっている。このネット３０を使用するには、先ず、掛止紐３１を片方の手の中指３３に掛け止めし（図１１参照）、図１２と図１４に示すように、この状態から上から水又は湯をかけ、固形石鹸３４又は液体石鹸３５をネット３０につけて、もう一方の手を使って泡立てを行うようにしたものである。そして、石鹸の泡立てができたら  、ネット３０に溜まった泡３６をもう一方の手で取り（図１５参照）、  洗顔やシャンプー等をした後、泡立てに使用したネット３０を水又は湯ですすぎ洗いをし、石鹸等の泡を洗い流す作業を行っている。
【０００３】
前記したように、従来のこの種泡立てネットにおいては、一度や少量の泡立てには適するが、数度又は多量の泡を立てるには、その都度、ネット３０を手にとり固形又は液体石鹸をつけて行わなければならず、手間がかかる欠点を有する外に、ネット３０の形状は、無底の釣鐘状であるため、手の指に掛け止めても手からネット３０が外れ易く、作業上の不便さも災いして十分な泡立て作業を行えない欠点も有していた。
【０００４】
【発明が解決しようとする課題】
本発明は、上記した事情を考慮し、少量から多量の泡立てを極めて容易に行うことができると共に、手に泡立てネットを確実かつ簡便に装着可能にして、従来にない至便にして有用な泡立てネットを提供することを目的とする。
【０００５】
【課題を解決するための手段】
本発明は、従来の泡立てネットの欠点を解消するため、手の指の先方部分が露出するように、手の指の各挿入筒の根元部分に相当する部位を短く編成した手袋形状の伸縮性を有する素材を用いたネット本体を設け、このネット本体の手の平面を二重構造のネット面として形成すると共に、前記ネット本体の手の甲面を一重構造のネット面として形成したことを特徴とし、瞬時にして少量又は多量の泡立てを可能にしている。
【０００６】
又、前記ネット本体の手の平面及び手の甲面の編成の網目形状は、菱形に形成したことを特徴とし、前記ネット本体の素材は、ポリエチレン、ポリアミド、ナイロン等の合成樹脂繊維であることを特徴とし、泡立てを簡便にしている。
【０００７】
加えて、前記ネット本体の手首部分には、緊締用の紐体を取り付け、泡立てネットの手への装着を確実なものとしている。
【０００８】
【発明の実施の形態】
本発明は、手の指の先方部分が露出する手袋形状の伸縮性を有する素材を用いたネットとし、このネット本体の手の平面を二重構造のネット面として形成すると共に、前記ネット本体の手の甲面を一重構造のネット面として形成することにより、手の平面のいわば袋状の空間に石鹸等の泡を滞留させ、手の甲面を一重構造として使用頻度の多少にかかわらず、効率的な泡立てを可能にした。
【０００９】
【実施例】
以下、本発明の一実施例を図面に基づいて説明する。１は本発明に係る泡立てネットであり、この泡立てネット１は手の指Ｈの先方部分が露出するように、手の指Ｈの各挿入筒２の根元部分に相当する部位を短く編成した手袋形状のネット本体３からなり、このネット本体３は伸縮性を有する素材、たとえば、ポリエチレン，ポリアミド、ナイロン等の合成樹脂繊維が用いられる。この素材は前記のものに限定されるものではなく、伸縮性を有する素材であればよいが、水に濡れた場合に縮むような素材は適切ではない。
【００１０】
本発明の特徴とするところは、図３で明らかなように、手の平面４は二重構造のネット面として編成したところにある。即ち、ネット本体３の指Ｈの各挿入筒２を含む手の平面４は、ポリエチレン、ポリアミド、ナイロン等の合成樹脂繊維等を素材としてこれを２枚重ねの状態にして二重構造とし、各挿入筒２の両側縁部５と、手の平面４の上縁部６を熱溶着していわば手袋状態としての形態を保持形成したものである。一方、手の甲面７は同じく一枚のポリエチレン、ポリアミド、ナイロン等の合成樹脂繊維を素材として、１枚とし、一重構造として構成した点に特徴がある。このように構成した本発明の特徴は後述する。
【００１１】
更に、本発明はネットの網目形状８を図２の一部拡大正面図で明らかなように、菱形９の形状にして形成したものである。これは、菱形９の形状であれば、泡立てネットの伸縮性に寄与するところが大だからである。即ち、菱形９の形状にすれば、菱形９の各頂点が泡立て作業中に図２の拡大図で明らかなように、各網目１０の頂部を四方方向に引っ張るので、泡立てネット１の伸縮性は増大し、泡立てに効果的になる。この網目形状は、一実施例であってこれに限定されるものではないが、例えば、編目形状を四角形に形成した場合には、その効果は菱形に比較して劣るが、その縦辺及び横辺が縦又は横方向に引っ張り、ネット自体が伸縮する。同様に、網目形状を三角形、円形等に形成してもよい。
【００１２】
加えて、前記ネット本体３の基端部を前記と同様に熱溶着し、その上部の手首部分に緊締用の紐体１１を取り付ければ、泡立てネット１の手のへの装着は確実なものなり、容易に手から外れる虞がない。この紐体１１に代えてベルベット式ファスナーを取り付けたり、手首部分をゴムにして泡立てネット１を手にしっかりと装着可能とすることもできる。
【００１３】
前記のように構成した本発明を使用する際には、ネット本体３を片方の手Ｈ又は両手Ｈに装着する。この際、指の挿入筒２は指の先方部分が露出する手袋形状となっているので、従来例のように、手からネット本体３が容易に外れることがなく、手に確実に装着される。次に、この状態から上から水又は湯をかけ、固形石鹸１２又は液体石鹸１３をネット本体３につけて、もう一方の手を使って泡立てを行うようにしたものである。手の指が指の挿入筒２から夫々に露出しているので、手Ｈと指先の自由を利かせて洗浄と泡立てを行うことができる。この際、手の平面４は二重のネット構造となっているので、石鹸の泡は袋状の手の平面４に滞留し、瞬時にして少量又は多量の泡を泡立てることができる。又、泡立てネット１は手Ｈにしっかりと装着されているので、その泡立て作業は軽便なものとなる（図５から図７参照）。そして、石鹸の泡立てができたら、図７及び図９に示されるように、泡を取る手間もなく、即、泡立てながら顔や身体を洗浄することができる。最後に、泡立てに使用したネット本体３を水又は湯ですすぎ洗いをし、石鹸等の泡を洗い流す。これらの作業は従来例と同様である。
【００１４】
【発明の効果】
本発明は、前記のように構成してなるから、従来のようにネットが手から外れる虞がなく、手に確実に装着され、しかも、泡立てと洗浄作業を同時に行えるとともに、少量又は多量の泡立てを瞬時に行うことができる従来のこの種泡立てネットにない利点を有する。
本発明において、手の甲面は一重のネット構造としてなるので、手への装着感、フィット感が良好であると共に、ネット本体の伸縮性を少なくし、泡立てネットが長期間使用可能となると共に、軽量化、製造の容易化を図ることができる利点がある。
【図面の簡単な説明】
【図１】本発明に係る泡立てネットの正面図である。
【図２】網目部分の拡大正面図である。
【図３】図１のＡ−Ａ線断面図である。
【図４】本発明に係る泡立てネットを手に装着した状態を示す正面図である。
【図５】本発明に係る泡立てネットを水又は湯に濡らす状態を示す説明図である。
【図６】本発明に係る泡立てネットを洗浄液につける状態を示す説明図である。
【図７】本発明に係る泡立てネットで泡立てる状態を示す説明図である。
【図８】本発明に係る泡立てネット泡立で洗顔する状態を示す説明図である。
【図９】本発明に係る泡立てネットで身体を洗浄する状態を示す説明図である。
【図１０】従来の泡立てネットを示す斜視図である。
【図１１】同泡立てネットを手に取り付けた状態を示す斜視図である。
【図１２】同泡立てネットを水又は湯に濡らす状態を示す説明図である。
【図１３】同泡立てネットを洗浄液につける状態を示す説明図である。
【図１４】同泡立てネットで泡立てを行う状態を示す説明図である。
【図１５】同泡立てネットから溜まった泡を取る状態を示す説明図である。
【図１６】同泡立てネットを洗浄する状態を示す説明図である。
【符号の説明】
１    泡立てネット
２    手の指の各挿入筒
３    ネット本体
４    手の平面
５    両側縁部
６    上縁部
７    手の甲面
８    網目形状
９    菱形
１０  各網目
１１  紐体
１２  固形石鹸
１３  液体石鹸
【図１】
2004229839.tif 000003
【図２】
2004229839.tif 000004
【図３】
2004229839.tif 000005
【図４】
2004229839.tif 000006
【図５】
2004229839.tif 000007
【図６】
2004229839.tif 000008
【図７】
2004229839.tif 000009
【図８】
2004229839.tif 000010
【図９】
2004229839.tif 000011
【図１０】
2004229839.tif 000012
【図１１】
2004229839.tif 000013
【図１２】
2004229839.tif 000014
【図１３】
2004229839.tif 000015
【図１４】
2004229839.tif 000016
【図１５】
2004229839.tif 000017
【図１６】
2004229839.tif 000018